(57)【要約】【課題】発光装置の輝度を向上させる。【解決手段】発光装置１０は、走査線３と、信号線６と、単位回路Ｐ１と、データ側駆動回路５００と信号線６との間に接続された第１のスイッチング素子ＳＳＷと、を備える。単位回路は、発光素子８と、第１電極Ｅ１と信号線６に接続された第２電極Ｅ２とを有する容量素子Ｃ１を有する。第１期間Ｐｗにおいて、第１スイッチング素子ＳＳＷをオン状態として、データ側駆動回路５００から第２電極Ｅ２及び信号線６にデータ電位ＶＤを供給する。そして、第２期間Ｐｓにおいて、第１電極Ｅ１の電位をシフトさせる。【選択図】図２
2011095644.tif 000002
【特許請求の範囲】
【請求項１】
複数の走査線と、複数の信号線と、前記複数の走査線と前記複数の信号線との交差に対応して設けられた複数の単位回路と、前記複数の信号線のうち第１の信号線とデータ側駆動回路との間に接続された第１のスイッチング素子と、を備え、
前記複数の単位回路の各々は、
発光素子と、
第１電極と第２電極とを有する容量素子と、
前記第１の信号線と前記発光素子との間に接続された第２のスイッチング素子と、
前記第１の信号線と前記第２電極との間に接続された第３のスイッチング素子と、
を有する発光装置の駆動方法であって、
第１期間において、前記複数の単位回路に属する前記第３のスイッチング素子のうち所定の第３のスイッチング素子をオン状態とするとともに、前記第１スイッチング素子をオン状態とし、前記データ側駆動回路から前記第１の信号線にデータ電位を供給し、
前記第１期間の後の第２期間において、前記第１のスイッチング素子及び前記第２のスイッチング素子をオフ状態とした後に、前記容量素子の前記第１電極の電位をシフトさせ、
前記第２期間の後の第３期間において、前記第２のスイッチング素子を介して、前記信号線を前記発光素子に接続させる、発光装置の駆動方法。
【請求項２】
前記発光素子は、陽極と陰極とを有し、
前記陽極は、前記第２スイッチング素子に接続されており、
前記第２期間において、前記容量素子の前記第１電極に第１電位が供給された状態から、前記第１電位よりも高い第２電位を供給された状態に遷移させる、請求項１に記載の発光装置の駆動方法。
【請求項３】
前記発光素子は、陽極と陰極とを有し、
前記陰極は、前記第２スイッチング素子に接続されており、
前記第２期間において、前記容量素子の前記第１電極に第１電位が供給された状態から、前記第１電位よりも低い第２電位を供給された状態に遷移させる、請求項１に記載の発光装置の駆動方法。
【請求項４】
前記第３期間の後の第４期間において、前記容量素子の前記第１電極に前記第２電位が供給された状態から、前記第１電位を供給された状態に遷移させ、
遷移の前後にわたり、前記第２のスイッチング素子をオン状態とする、請求項２または請求項３に記載の発光装置の駆動方法。
【請求項５】
複数の走査線と、複数の信号線と、前記複数の走査線と前記複数の信号線との交差に対応して設けられた複数の単位回路と、前記複数の走査線に接続された走査側駆動回路と、前記複数の信号線に接続されたデータ側回路と、を具備し、
前記データ側回路は、
データ側駆動回路と、
前記データ側駆動回路と前記複数の信号線のうち第１の信号線との間に接続された第１のスイッチング素子と、を有し、
前記複数の単位回路の各々は、
発光素子と、
第１電極と第２電極とを有する容量素子と、
前記第１の信号線と前記発光素子との間に接続された第２のスイッチング素子と、
前記第１の信号線と前記第２電極との間に接続された第３のスイッチング素子と、
を有し、
前記複数の走査線の各々は、前記第３のスイッチング素子を制御する第１制御信号を供給する第１制御線と、前記第２のスイッチング素子を制御する第２制御信号を供給する第２制御線と、前記第１電極に接続され且つ第３制御信号を供給する第３制御線と、
を備え、
走査側制御回路は、前記第３制御信号を前記第２制御信号と連関して信号として生成する、発光装置。
【請求項６】
前記走査側制御回路は、前記第２制御信号のパルス幅に応じた数のパルス数を有するように前記第３制御信号を生成する、請求項５に記載の発光装置。
【請求項７】
前記走査側制御回路は、シフト転送回路を備え、
前記第２制御信号及び前記第３制御信号は、シフト転送回路の出力に基づいて生成または制御される、請求項５に記載の発光装置。
【請求項８】
請求項５乃至７のいずれか一項に記載の発光装置を備える、電子機器。
【発明の詳細な説明】
【技術分野】
【０００１】
本発明は、発光素子を利用した発光装置、その駆動方法、電子機器に関する。
【背景技術】
【０００２】
近年、有機ＥＬ（Electro Luminescence）素子や発光ポリマー素子などと呼ばれる有機発光ダイオード（Organic Light Emitting Diode、以下「ＯＬＥＤ」という）素子などの発光素子を用いた発光装置が各種提案されている。
この発光装置では、ＯＬＥＤ素子等に所定の電流又は電圧を供給するための、さまざまな駆動回路が備えられる。このような駆動回路は、例えば、ＯＬＥＤ素子に加えて、これに並列に接続される容量素子を含むことがある。
この場合、ＯＬＥＤ素子の陽極及び容量素子の一方の電極にデータ電位を、ＯＬＥＤ素子の陰極及び容量素子の他方の電極に基準電位を、それぞれ供給する場合がある。この場合、容量素子に蓄えられた、前記データ電位に応じた電荷に起因する電流を、ＯＬＥＤ素子に対して供給することにより、当該有機ＥＬ素子の安定的な駆動を行うことが可能になる。
このような発光装置としては、例えば特許文献１に開示されているようなものが知られている。
【先行技術文献】
【特許文献】
【０００３】
【特許文献１】特開２０００−１２２６０８号公報
【発明の概要】
【発明が解決しようとする課題】
【０００４】
しかしながら、上記特許文献１の構成において、ＯＬＥＤ素子の発光量（発光輝度の時間積分値）を十分な値とするためには、ＯＬＥＤ素子の発光時間を十分に確保する必要がある。従って、容量素子の容量を非常に大きな値に設定する必要があった。
【課題を解決するための手段】
【０００５】
本発明は、上記課題の少なくとも一部を解決するためになされたものであり、以下の形態又は適用例として実現することが可能である。
【０００６】
［適用例１］複数の走査線と、複数の信号線と、前記複数の走査線と前記複数の信号線との交差に対応して設けられた複数の単位回路と、前記複数の信号線のうち第１の信号線とデータ側駆動回路との間に接続された第１のスイッチング素子と、を備え、前記複数の単位回路の各々は、発光素子と、第１電極と第２電極とを有する容量素子と、前記第１の信号線と前記発光素子との間に接続された第２のスイッチング素子と、前記第１の信号線と前記第２電極との間に接続された第３のスイッチング素子と、を有する発光装置の駆動方法であって、第１期間において、前記複数の単位回路に属する前記第３のスイッチング素子のうち所定の第３のスイッチング素子をオン状態とするとともに、前記第１スイッチング素子をオン状態とし、前記データ側駆動回路から前記第１の信号線にデータ電位を供給し、前記第１期間の後の第２期間において、前記第１のスイッチング素子及び前記第２のスイッチング素子をオフ状態とした後に、前記容量素子の前記第１電極の電位をシフトさせ、前記第２期間の後の第３期間において、前記第２のスイッチング素子を介して、前記信号線を前記発光素子に接続させる、発光装置の駆動方法。
【０００７】
これによれば、データ側駆動回路がデータ電位を信号線に供給する際の負荷を低減できる。したがって、同じ輝度で発光素子を発光させた場合において、消費電力を低減できる。また、換言すれば、同じデータ電位を供給したとき、発光素子の輝度を明るくすることができる。
【０００８】
［適用例２］上記適用例にかかる発光装置の駆動方法であって、前記発光素子は、陽極と陰極とを有し、前記陽極は、前記第２スイッチング素子に接続されており、前記第２期間において、前記容量素子の前記第１電極に第１電位が供給された状態から、前記第１電位よりも高い第２電位を供給された状態に遷移させる、発光装置の駆動方法。
これによれば、陰極と第２電極との間の電位差を確保でき、発光素子の輝度を明るくすることができる。
【０００９】
［適用例３］上記適用例１にかかる発光装置の駆動方法であって、前記発光素子は、陽極と陰極とを有し、前記陰極は、前記第２スイッチング素子に接続されており、前記第２期間において、前記容量素子の前記第１電極に第１電位が供給された状態から、前記第１電位よりも低い第２電位を供給された状態に遷移させる、発光装置の駆動方法。
これによれば、陽極と第２電極との間の電位差を確保でき、発光素子の輝度を明るくすることができる。
【００１０】
［適用例４］上記適用例にかかる発光装置の駆動方法であって、前記第３期間の後の第４期間において、前記容量素子の前記第１電極に前記第２電位が供給された状態から、前記第１電位を供給された状態に遷移させ、遷移の前後にわたり、前記第２のスイッチング素子をオン状態とする、発光装置の駆動方法。
これによれば、第４期間において、発光素子に逆バイアスを印加することができる。
【００１１】
［適用例５］複数の走査線と、複数の信号線と、前記複数の走査線と前記複数の信号線との交差に対応して設けられた複数の単位回路と、前記複数の走査線に接続された走査側駆動回路と、前記複数の信号線に接続されたデータ側回路と、を具備し、前記データ側回路は、データ側駆動回路と、前記データ側駆動回路と前記複数の信号線のうち第１の信号線との間に接続された第１のスイッチング素子と、を有し、前記複数の単位回路の各々は、発光素子と、第１電極と第２電極とを有する容量素子と、前記第１の信号線と前記発光素子との間に接続された第２のスイッチング素子と、前記第１の信号線と前記第２電極との間に接続された第３のスイッチング素子と、を有し、前記複数の走査線の各々は、前記第３のスイッチング素子を制御する第１制御信号を供給する第１制御線と、前記第２のスイッチング素子を制御する第２制御信号を供給する第２制御線と、前記第１電極に接続され且つ第３制御信号を供給する第３制御線と、を備え、走査側制御回路は、前記第３制御信号を前記第２制御信号と連関して信号として生成する、発光装置。
【００１２】
これによれば、第２制御信号と連関した信号である第３制御信号を用いて、容量素子の第１電極を制御できる。したがって、容量素子の第１電極の電位制御が、第３のスイッチング素子による容量素子の充放電動作と同期して行うことができる。よって、発光装置の制御が容易となる。
【００１３】
［適用例６］上記適用例にかかる発光装置であって、前記走査側制御回路は、前記第２制御信号のパルス幅に応じた数のパルス数を有するように前記第３制御信号を生成する、発光装置。
これによれば、第２制御信号パルス幅に応じて、容量素子の第１電極の電位シフト動作の回数を制御できる。
【００１４】
［適用例７］上記適用例にかかる発光装置であって、前記走査側制御回路は、シフト転送回路を備え、前記第２制御信号及び前記第３制御信号は、シフト転送回路の出力に基づいて生成または制御される、発光装置。
これによれば、１つのシフト転送回路の出力により、第２制御信号及び第３制御信号を生成できるため、回路の簡略化あるいは小規模化を実現できる。
【００１５】
［適用例８］上記適用例に記載の発光装置を備えた電子機器。
発光装置は様々な電子機器に利用される。電子機器の典型例は、発光装置を表示装置として利用した機器である。本適用例に係る電子機器としてはパーソナルコンピューターや携帯電話機が例示される。もっとも、本適用例に係る発光装置の用途は画像の表示に限定されない。例えば、光線の照射によって感光体ドラムなどの像担持体に潜像を形成するための露光装置（光ヘッド）としても本適用例の発光装置は利用され得る。
【００１６】
これによれば、本適用例の電子機器は、上述した各種の発光装置を備えてなるので、画像全体の輝度を明るくする、もしくは、消費電力を低減することが可能である。
【図面の簡単な説明】
【００１７】
【図１】本発明の第１実施形態に係る発光装置を示すブロック図である。
【図２】図１の発光装置を構成する単位回路、走査側駆動回路及びデータ側駆動回路の詳細を示す回路図である。
【図３】図１及び図２の発光装置の動作を説明するためのタイミングチャートである。
【図４】走査側駆動回路の詳細を示す回路図である。
【図５】変形例に係わる走査側駆動回路の詳細を示す回路図である。
【図６】変形例に係わる単位回路の回路図である。
【図７】本発明の第１実施形態に係る発光装置を適用した電子機器を示す斜視図である。
【図８】本発明の第１実施形態に係る発光装置を適用した他の電子機器を示す斜視図である。
【図９】本発明の第１実施形態に係る発光装置を適用したさらに他の電子機器を示す斜視図である。
【発明を実施するための形態】
【００１８】
＜第１実施形態＞
以下では、本発明に係る第１実施形態について図１、図２、図３、及び図４を参照しながら説明する。図３において、Ｖａ［ｊ］は、ｊ列目の信号線６（図１参照）の電位である。なお、ここに言及した図１、図２、図３、及び図４に加え、以下で参照する各図面においては、各部の寸法の比率が実際のものとは適宜に異ならせてある場合がある。
【００１９】
図１において、発光装置１０は、画像を表示するための手段として各種の電子機器に採用される装置であり、複数の単位回路Ｐ１が面状に配列された画素アレイ部１００、走査側駆動回路２００、データ側回路３００、及び処理回路４００を有する。なお、図１においては、走査側駆動回路２００とデータ側回路３００とが別個の回路として図示されているが、これらの回路の一部又は全部が単一の回路とされた構成も採用される。
【００２０】
図１に示すように、画素アレイ部１００には、Ｘ方向に延在するｍ本の走査線３と、Ｘ方向に直交するＹ方向に延在するｎ本の信号線６とが設けられる（ｍ及びｎは自然数）。各単位回路Ｐ１は、走査線３と信号線６との交差に対応する位置に配置される。したがって、これらの単位回路Ｐ１は縦ｍ行×横ｎ列のマトリクス状に配列する。
【００２１】
以上の構成のうち、ｍ本の走査線３はそれぞれ、図１及び図２に示すように、一組３本の配線を含む。ここで、一組３本の配線は、図１及び図２に示すように、第１制御線３Ｗ、第２制御線３Ｃ、第３制御線３Ｂである。つまり、走査線３がｍ本あれば、第１制御線３Ｗ、第２制御線３Ｃ、第３制御線３Ｂの全数は３ｍ本である。これら各制御線（３Ｗ，３Ｃ，３Ｂ）は、各行に位置する単位回路Ｐ１の各々に接続される（より具体的な接続態様については、図２を参照しながら後に説明する）。
【００２２】
処理回路４００は、走査側駆動回路２００及びデータ側回路３００に、開始パルスやクロック信号などの駆動回路を制御する信号や画像データを供給して両駆動回路を制御する。
図１に示す走査側駆動回路２００は、図２に示すように、第１制御信号ＧＷ［１］乃至ＧＷ［ｍ］、第２制御信号ＧＣ［１］乃至ＧＣ［ｍ］、第３制御信号ＧＢ［１］乃至ＧＢ［ｍ］を生成する。図１に示す走査側駆動回路２００は、図２に示すように、走査線３に対応した回路が複数設けられている。
【００２３】
走査側駆動回路２００の第ｉ行（ｉは１≦ｉ≦ｍを満たす整数）の走査線３に対応する回路を図２及び図４に示す。第ｉ行の走査線３に対応する回路は、図２に示すように、第１シフト転送回路２１０、第１出力回路２２０、第２シフト転送回路２３０、第２出力回路２４０、第３出力回路２５０を備える。
【００２４】
走査側駆動回路２００は、順次アクティブとなる第１制御信号ＧＷ［１］乃至ＧＷ［ｍ］を生成して、前述した第１制御線３Ｗの各々に出力する。第ｉ行（ｉは１≦ｉ≦ｍを満たす整数）の走査線３に含まれる第１制御線３Ｗに供給される第１制御信号ＧＷ［ｉ］のうち、第１制御信号ＧＷ［ｉ］のアクティブ状態への遷移は、第ｉ行に属するｎ個の単位回路Ｐ１の選択を意味する。第１シフト転送回路２１０は、それぞれ開始パルスを順次転送して制御パルスを出力するシフトレジスターを構成する単位回路の一部である。第１出力回路２２０には、第１シフト転送回路２１０の出力が入力され、図３に示す第１制御信号ＧＷ［ｉ］を出力する。例えば、第１シフト転送回路２１０の出力は図３の単位期間「１Ｈ」に対応するパルス幅を有する信号であって、第１出力回路２２０は、第１シフト転送回路２１０の出力のパルス幅を狭めて図３に示す第１制御信号ＧＷ［ｉ］を第１制御線３Ｗに出力してもよい。また、第１出力回路２２０は、第１シフト転送回路２１０の出力を昇圧して第１制御線３Ｗに出力してもよい。
【００２５】
走査側駆動回路２００は、図３に示すように、適宜アクティブとなる第２制御信号ＧＣ［１］乃至ＧＣ［ｍ］を生成して、前述した第２制御線３Ｃの各々に出力する。第ｉ行の走査線３に含まれる第２制御線３Ｃに供給される第２制御信号ＧＣ［ｉ］のうち、第２制御信号ＧＣ［ｉ］のアクティブ状態への遷移は、第ｉ行に属するｎ個の単位回路Ｐ１に含まれる後述の容量素子Ｃ１への充電許可を意味する。第２シフト転送回路２３０は、第１シフト転送回路２１０と同様、それぞれ開始パルスを順次転送して制御パルスを出力するシフトレジスターを構成する単位回路の一部である。第２出力回路２４０には、第２シフト転送回路２３０の出力が入力され、第２制御信号ＧＣ［ｉ］を出力する。図３では、第２制御信号ＧＣ［ｉ］は単位期間「１Ｈ」の２個分に対応するパルス幅を有している。第２出力回路２４０は、第２シフト転送回路２３０の出力を昇圧して第２制御線３Ｃに出力してもよい。
【００２６】
走査側駆動回路２００は、適宜アクティブとなる第３制御信号ＧＢ［１］乃至ＧＢ［ｍ］を生成して、前述した第３制御線３Ｂの各々に出力する。第ｉ行の走査線３に含まれる第３制御線３Ｂに供給される第３制御信号ＧＢ［ｉ］のうち、第３制御信号ＧＢ［ｉ］の電位は、第ｉ行に属するｎ個の単位回路Ｐ１に含まれる後述の容量素子Ｃ１の一方の電極に供給される。
第３出力回路２５０には、第２制御信号ＧＣ［ｉ］が入力され、図３に示す第３制御信号ＧＢ［ｉ］を出力する。第３出力回路２５０は、例えば、図４に示すように、制御回路２６０と、セレクター２７０とを備えてもよい。
【００２７】
制御回路２６０は、第２制御信号ＧＣ［ｉ］を保持してもよい。これによれば、第２制御信号ＧＣ［ｉ］に応じてセレクター２７０を制御して第３制御信号ＧＢ［ｉ］を出力することができる。また、第２制御信号ＧＣ［ｉ］が遷移しなければ、セレクター２７０は状態を維持するため、消費電力を低減できる。
制御回路２６０は、ラッチ回路であり、ラッチ回路は、インバーターと、インバーターの出力が入力に接続されるとともにインバーターの入力が出力に接続されたクロックドインバーターと、を備えてもよい。
制御回路２６０は、第２制御信号ＧＣ［ｉ］が非アクティブからアクティブに遷移する度にアクティブとなる信号を出力し、第２制御信号ＧＣ［ｉ］がアクティブから非アクティブに遷移する度に非アクティブとなる信号を出力し、第２制御信号ＧＣ［ｉ］に遷移がなければそのまま状態を保持するように構成してもよい。
【００２８】
第２制御信号ＧＣ［ｉ］が遷移する際に、制御回路２６０は動作する。動作回数を減らすことができるため、制御回路２６０及びセレクター２７０の消費電力を低減できる。また、第３制御信号ＧＢ［ｉ］は、図３に示すように、第２制御信号ＧＣ［ｉ］のパルス幅を狭めた信号であってもよい。また、第３制御信号ＧＢ［ｉ］は、図３に示すように、第２制御信号ＧＣ［ｉ］のパルス幅に応じた数のパルス数を有してもよい。
【００２９】
例えば、図３では、第２制御信号ＧＣ［ｉ］は単位期間「１Ｈ」の２個分に対応するパルス幅を有しているため、第３制御信号ＧＢ［ｉ］のパルス数は２である。そして、図３では、第３制御信号ＧＢ［ｉ］は、アクティブとなる期間が後述する電位シフト期間Ｐｓと駆動期間Ｐｄとを加算した時間幅以上のパルス幅であって、いずれの書込期間Ｐｗに重ならない信号となっている。
尚、図２及び図４では、第２制御信号ＧＣ［ｉ］が制御回路２６０に入力されていたが、第２シフト転送回路２３０の出力を制御回路２６０に入力してもよい。セレクター２７０は、制御回路２６０からの出力に応じて、高位電位ＶＨ及び低位電位ＶＬのいずれかを選択して第３制御線３Ｂに供給する。
【００３０】
以上のように、第２シフト転送回路２３０からの１つの出力を用いて、２つの信号が生成されている。ここで、２つの信号とは、第２制御信号ＧＣ［ｉ］と第３制御信号ＧＢ［ｉ］である。第３制御信号ＧＢ［ｉ］は、第２制御信号ＧＣ［ｉ］と連関した信号となっている。
【００３１】
ここで、第１シフト転送回路２１０及び第２シフト転送回路２３０は、それぞれシフトレジスターを有するようにしたが、第２シフト転送回路２３０を省略してもよい。このようにする場合、第１シフト転送回路２１０の出力を所定の論理回路に入力し、図３に示す第２制御信号ＧＣ［ｉ］を所定の論理回路が生成するように構成してもよい。ただし、第１シフト転送回路２１０とは別に第２シフト転送回路２３０を設けると、第１制御信号ＧＷ［ｉ］に関係なく、第２制御信号ＧＣ［ｉ］及び第３制御信号ＧＢ［ｉ］を生成できるため、制御の自由度が増す。特に、第２制御信号ＧＣ［ｉ］及び第３制御信号ＧＢ［ｉ］は、後述の容量素子Ｃ１を制御するものであり、発光輝度に大きく影響するため、第１シフト転送回路２１０とは別に第２シフト転送回路２３０を設けることが好ましい。
【００３２】
図１及び図２に示すデータ側回路３００は、データ側駆動回路５００、サンプリングスイッチＳＳＷ［１］乃至ＳＳＷ［ｎ］等を有する。データ側回路３００は、処理回路４００から供給される画像データに基づき、走査側駆動回路２００によって選択される第１制御線３Ｗに対応するｎ個分の単位回路Ｐ１の各々の階調データに応じたデータ電位ＶＤ［１］乃至ＶＤ［ｎ］をデータ側駆動回路５００にて生成して、各列のサンプリングスイッチＳＳＷ［１］乃至ＳＳＷ［ｎ］に供給する。また、データ側駆動回路５００は、第４制御信号ＧＳ［１］乃至ＧＳ［ｎ］を生成し、対応するサンプリングスイッチＳＳＷ［１］乃至ＳＳＷ［ｎ］に供給する。
【００３３】
第４制御信号ＧＳ［１］乃至ＧＳ［ｎ］がアクティブ状態に遷移するとサンプリングスイッチＳＳＷ［１］乃至ＳＳＷ［ｎ］がオン状態になり、各信号線６に出力する。第４制御信号ＧＳ［１］乃至ＧＳ［ｎ］が非アクティブ状態に遷移するとサンプリングスイッチＳＳＷ［１］乃至ＳＳＷ［ｎ］がオフ状態となり、各信号線６とデータ側駆動回路５００とは非導通となる。
【００３４】
ここで、各列のサンプリングスイッチＳＳＷ［１］乃至ＳＳＷ［ｎ］に供給される第４制御信号ＧＳ［１］乃至ＧＳ［ｎ］は、同じタイミングでアクティブ状態に遷移してもよいし、第４制御信号ＧＳ［１］、ＧＳ［２］、・・・ＧＳ［ｎ］の順番でアクティブ状態に遷移させてもよい。同じタイミングでアクティブ状態に遷移させれば、データ電位ＶＤ［１］乃至ＶＤ［ｎ］を各信号線６に出力する期間を、順次アクティブ状態に遷移させる場合と比して確保することができる。なお、以下では、第ｊ列目（ｊは１≦ｊ≦ｎを満たす整数）の信号線６に出力されるデータ電位ＶＤをＶＤ［ｊ］と表記することがある。
【００３５】
図２を用いて、各単位回路Ｐ１の詳細について説明する。
各単位回路Ｐ１は、図２に示すように、発光素子８、容量素子Ｃ１、第１トランジスターＴｒ１、及び第２トランジスターＴｒ２を有する。
【００３６】
発光素子８は、陽極と陰極との間に有機ＥＬ材料の発光層を介在させたＯＬＥＤ（Organic Light Emitting Diode）素子である。発光素子８は、図２に示すように、第２トランジスターＴｒ２と定電位が供給される定電位線（接地線）との間に配置される。ここで、陽極は単位回路Ｐ１毎に設けられ、単位回路Ｐ１毎に制御される個別電極であり、陰極は単位回路Ｐ１に共通に設けられた共通電極となっている。そして、陰極は定電位が供給される定電位線に接続されている。定電位線（接地線）は、画素アレイ部１００において複数の単位回路Ｐ１に共通に設けられた共通電極（陰極）自体のみにより構成されていてもよいし、共通電極（陰極）に接続された配線を備えてもよい。なお、陽極が共通電極であり、陰極が個別電極であってもよい。
【００３７】
容量素子Ｃ１は、信号線６から供給されるデータ電位ＶＤ［ｊ］を保持する。図２に示すように、容量素子Ｃ１は、第３制御線３Ｂに接続された第１電極Ｅ１と、第１トランジスターＴｒ１に接続された第２電極Ｅ２と、を有する。容量素子Ｃ１の第２電極Ｅ２の電位は、第３制御信号ＧＢ［ｉ］により制御される。
【００３８】
第１トランジスターＴｒ１は、第２制御線３Ｃの選択時に導通することで容量素子Ｃ１の第２電極Ｅ２と信号線６とを導通させるスイッチング素子である。図２に示すように、第１トランジスターＴｒ１のソース及びドレインの一方は容量素子Ｃ１の第２電極Ｅ２に接続されるとともに、そのソース及びドレインの他方は信号線６に接続される。
【００３９】
そして、第１トランジスターＴｒ１のゲートは第２制御線３Ｃに接続される。これにより、第２制御信号ＧＣ［ｉ］がアクティブ状態に遷移すると、第ｉ行に属する第１トランジスターＴｒ１がオン状態となって、第２電極Ｅ２と信号線６とが導通する一方、第２制御信号ＧＣ［ｉ］が非アクティブ状態に遷移すると、第ｉ行に属する第１トランジスターＴｒ１がオフ状態となって、第２電極Ｅ２と信号線６とは非導通状態となる。
【００４０】
第２トランジスターＴｒ２は、第１制御線３Ｗの選択時に導通することで信号線６と発光素子８とを導通させるスイッチング素子である。図２に示すように、第２トランジスターＴｒ２のソース及びドレインの一方は発光素子８の陽極に接続されるとともに、そのソース及びドレインの他方は信号線６に接続される。
【００４１】
そして、第２トランジスターＴｒ２のゲートは第１制御線３Ｗに接続される。これにより、第１制御信号ＧＷ［ｉ］がアクティブ状態に遷移すると、第ｉ行に属する第２トランジスターＴｒ２がオン状態となって、信号線６と発光素子８とが導通する一方、第１制御信号ＧＷ［ｉ］が非アクティブ状態に遷移すると第２トランジスターＴｒ２はオフ状態となって、信号線６と発光素子８とは非導通状態となる。
【００４２】
次に、第１実施形態に係る発光装置１０の動作ないし作用の一例について、既に参照した図１及び図２に加えて、図３を参照しながら説明する。
発光装置１０は、以下の〔ｉ〕〔ｉｉ〕〔ｉｉｉ〕の３つの期間を基本とする。
【００４３】
〔ｉ〕書込期間Ｐｗ
この書込期間Ｐｗでは、書込動作が行われる。この書込動作は、ある走査線３に対応する各単位回路Ｐ１に含まれる発光素子８の発光階調に対応するデータ電位ＶＤ［ｊ］を、当該発光素子８を含む列に属する単位回路Ｐ１内の容量素子Ｃ１及び信号線６に保持させる動作を行なう。
【００４４】
まず、データ側駆動回路５００は第４制御信号ＧＳ［１］乃至ＧＳ［ｎ］をアクティブ状態に遷移させ、対応するサンプリングスイッチＳＳＷ［１］乃至ＳＳＷ［ｎ］をオン状態とする。これにより、データ側駆動回路５００は、サンプリングスイッチＳＳＷ［１］乃至ＳＳＷ［ｎ］を介して各信号線６と接続される。そして、選択された第１制御線３Ｗに対応するｎ個分の単位回路Ｐ１の各々の階調データに応じたデータ電位ＶＤ［１］乃至ＶＤ［ｎ］が、対応する信号線６に出力される。図３の最も左側の書込期間Ｐｗでは、データ電位ＶＤ［ｊ］は、第１行目に位置する各単位回路Ｐ１内の発光素子８に対応する（図３中、「ＧＷ［１］に対応」乃至「ＧＷ［４］に対応」という文言参照）。
【００４５】
さらに、書込期間Ｐｗにおいて、第２制御信号ＧＣ［ｉ］がアクティブ状態であれば、このｉ行の単位回路Ｐ１の容量素子Ｃ１の第２電極Ｅ２は信号線６に接続され、当該容量素子Ｃ１には、データ電位ＶＤ［１］乃至ＶＤ［ｎ］が保持される。
例えば、第２行目の走査線３に対応し、かつ、第３列目に位置する発光素子８についてのデータ電位ＶＤ［３］（図１参照）は、その第３列目に位置する各単位回路Ｐ１内の複数の容量素子Ｃ１によって保持されることになる。
【００４６】
図３では、１行目のデータ電位ＶＤ［１］乃至ＶＤ［ｎ］は、１行目とｍ行目（図示していない）の容量素子Ｃ１に保持され、２行目のデータ電位ＶＤ［１］乃至ＶＤ［ｎ］は、１行目と２行目の容量素子Ｃ１に保持され、３行目のデータ電位ＶＤ［１］乃至ＶＤ［ｎ］は、２行目と３行目の容量素子Ｃ１に保持されている。ここで、どの発光素子８を発光させる時も、１つの発光素子８を発光させるために、２つの容量素子Ｃ１が用いられるようにしている。このように、用いられる容量素子Ｃ１の数が同じであり、これらの容量素子Ｃ１と発光動作に用いられる発光素子８との位置関係がほぼ同様になるように容量素子Ｃ１が選択され、データ電位ＶＤを保持している。また、１つの発光素子８を発光させるために２つの容量素子Ｃ１が用いられるようにしたが、発光素子８の輝度を調整するため、同じ列に位置する単位回路Ｐ１のうち第２制御信号ＧＣ［１］乃至ＧＣ［ｍ］によりアクティブ状態となった単位回路Ｐ１に属する容量素子Ｃ１の数が設定されてもよい。信号線６と接続される容量素子Ｃ１の数が多ければ、輝度が高くなり、少なければ輝度が低くなる。
【００４７】
さらに、第１制御信号ＧＷ［ｉ］は非アクティブ状態であり、第２トランジスターＴｒ２はオフ状態である。したがって、容量素子Ｃ１及び信号線６は、発光素子８とは接続されておらず、発光しない。
そして、書込動作においては、第３制御線３Ｂ及び容量素子Ｃ１の第２電極Ｅ２はセレクター２７０を介して低位電位線Ｌ１に接続されている。したがって、データ電位ＶＤ［１］乃至ＶＤ［ｎ］は、容量素子Ｃ１に書き込むとき、第１電位ＶＬを基準にして保持されることになる。書込動作では、後述の電位シフト動作及び発光動作の動作時よりも低い電位ＶＬを基準にして、データ電位ＶＤ［１］乃至ＶＤ［ｎ］を充電することができるため、書込動作における消費電力を低減することができる。また、実際には、信号線６に、例えば発光素子８の共通電極となる電極との間に寄生容量が存在するため、この寄生容量を考慮に入れる必要があるが、この寄生容量の容量値が容量素子Ｃ１の容量値より比較的小さいときは無視することができる。
【００４８】
〔ｉｉ〕電位シフト期間Ｐｓ
続いて、書込期間Ｐｗの後の電位シフト期間Ｐｓにおいて、電位シフト動作が行われる。この電位シフト期間Ｐｓでは、第３制御線３Ｂ及び容量素子Ｃ１の第１電極Ｅ１が低位電位線Ｌ１に接続された状態から高位電位線Ｌ２に接続された状態に遷移させる動作を行う。したがって、第３制御線３Ｂ及び容量素子Ｃ１の第１電極Ｅ１は、第１電位ＶＬから第２電位ＶＨに遷移する。これにより、容量素子Ｃ１の第２電極Ｅ２及び信号線６の電位は、容量素子Ｃ１の容量と容量素子Ｃ１の第２電極Ｅ２又は信号線６に付随する容量とによる容量結合を利用してシフトする。
【００４９】
書込期間Ｐｗにおいて信号線６と接続された容量素子Ｃ１の第２電極Ｅ２は、電位シフト期間Ｐｓでも信号線６に接続された状態を維持している。即ち、書込動作においてオン状態に設定された第１トランジスターＴｒ１は、電位シフト動作においてオン状態を維持している。
【００５０】
この状態から、データ側駆動回路５００は、サンプリングスイッチＳＳＷ［１］乃至ＳＳＷ［ｎ］をオン状態からオフ状態にするように、第４制御信号ＧＳ［１］乃至ＧＳ［ｎ］をアクティブ状態から非アクティブ状態に遷移させる。そして、第１制御信号ＧＷ［ｊ］は非アクティブ状態であり、第２トランジスターＴｒ２はオフ状態である。これにより、容量素子Ｃ１の第２電極Ｅ２及び信号線６は、データ側駆動回路５００及び発光素子８と接続されていない状態となり、容量素子Ｃ１の第１電極Ｅ１及び信号線６は電気的にフローティングとなる。
【００５１】
その後、セレクター２７０が制御回路２６０により制御されて、第３制御線３Ｂ及び容量素子Ｃ１の第２電極Ｅ２はセレクター２７０を介して低位電位線Ｌ１に接続されていた状態から、高位電位線Ｌ２に接続された状態に遷移する。
これにより、第３制御線３Ｂ及び容量素子Ｃ１の第１電極Ｅ１は、第１電位ＶＬから第２電位ＶＨに遷移する。そして、容量素子Ｃ１の第２電極Ｅ２及び信号線６の電位は、容量素子Ｃ１の容量と容量素子Ｃ１の第２電極Ｅ２又は信号線６に付随する容量とによる容量結合を利用してシフトする。
【００５２】
ここで、容量素子Ｃ１の第２電極Ｅ２及び信号線６に付随する寄生容量の容量値が、容量素子Ｃ１の容量値と比して無視できる程度に小さく、第２電位ＶＨと第１電位ＶＬの電位差をΔＶとした場合、容量素子Ｃ１の第２電極Ｅ２及び信号線６の電位は、書込動作で保持したデータ電位ＶＤ［１］乃至ＶＤ［ｎ］からΔＶだけ電位がシフトする。
尚、容量素子Ｃ１の第２電極Ｅ２及び信号線６に付随する寄生容量の容量値がある程度であったとしても、この寄生容量の容量値と容量素子Ｃ１の容量値に応じて電荷が分配され、電位はシフトする。ここで、電位シフト動作後の、容量素子Ｃ１及び信号線６に保持された電位は、ΔＶだけでなく、書込動作により保持されたデータ電位ＶＤ［１］乃至ＶＤ［ｎ］に依存するため、発光素子８の輝度を階調データに応じて設定することができる。
【００５３】
そして、第３制御信号ＧＢ［ｉ］は、第２制御信号ＧＣ［ｉ］と連関した信号となっているため、書込期間Ｐｗにおいて第２制御線３Ｃに供給される第２制御信号ＧＣ［ｉ］がアクティブとなった場合、その走査線３に含まれる第３制御線３Ｂのみの電位がシフトされ、他の第３制御線３Ｂの電位をシフトさせない。したがって、全ての第３制御線３Ｂの電位をシフトする場合と比して、消費電力を低くすることができる。
ここで、第２トランジスターＴｒ２に接続された電極、言い換えれば個別電極が陽極であるため、共通電極である陰極との電位差を大きくするように、電位シフト期間Ｐｓでは第１電位ＶＬから第２電位ＶＨに遷移させた。第２トランジスターＴｒ２に接続された電極、言い換えれば個別電極が陰極であれば、電位シフト期間Ｐｓでは第２電位ＶＨから第１電位ＶＬに遷移させることが好ましい。
【００５４】
〔ｉｉｉ〕駆動期間Ｐｄ
続いて、電位シフト期間Ｐｓの後の駆動期間Ｐｄにおいて、発光動作が行われる。この発光動作は、書込動作及び電位シフト動作において容量素子Ｃ１及び信号線６に保持された電位に基づいて、発光素子８を発光させる動作である。この動作は、当該発光素子８を含む単位回路Ｐ１が対応する走査線３に含まれる第１制御線３Ｗにアクティブである第１制御信号ＧＷ［ｉ］を供給すること、及び、それによってその単位回路Ｐ１内の第２トランジスターＴｒ２が導通状態となることを含む。これにより、発光素子８は、容量素子Ｃ１及び信号線６に蓄積された電荷に応じた電流の供給を受けることになり、発光する。
【００５５】
ここで、書込動作及び電位シフト動作において信号線６と接続された容量素子Ｃ１の第２電極Ｅ２は、発光動作でも信号線６に接続された状態を維持している。即ち、書込動作及び電位シフト動作においてオン状態に設定された第１トランジスターＴｒ１は、オン状態を維持している。そして、発光動作においては、第３制御線３Ｂ及び容量素子Ｃ１の第１電極Ｅ１の電位は、電位シフト動作における電位を維持している。
【００５６】
ここで、容量素子Ｃ１及び信号線６に保持された電位と、共通電極の電位との電位差が、発光素子８のしきい値を上回ることにより、発光素子８は発光する。したがって、この電位差が高いほど、発光素子８は明るく発光する。そして、電位差が高い場合には、その間に充電される電荷が多くなり、発光素子８は明るく発光する。
【００５７】
本第１実施形態では、書込動作で書き込まれるデータ電位ＶＤ［１］乃至ＶＤ［ｎ］だけでなく、電位シフト動作でシフトさせた電位を利用しているため、単純にデータ電位ＶＤ［１］乃至ＶＤ［ｎ］のみの場合と比して、上記の電位差を大きくすることができ、同じデータ電位ＶＤ［１］乃至ＶＤ［ｎ］を用いた場合に比して、発光素子８の共通電極の電位に対する電位差を確保することができ、明るく発光させることができる。
【００５８】
そして、発光素子８の発光動作を終了させるため、第１制御線３Ｗに非アクティブである第１制御信号ＧＷ［ｉ］を供給し、それによってその単位回路Ｐ１内の第２トランジスターＴｒ２を非導通状態にする。ここで、発光素子８を明るく発光させるためには、発光素子８に電荷が流れることにより、発光素子８のしきい値を電位差が下回り、発光が完了した後、非アクティブである第１制御信号ＧＷ［ｉ］を第１制御線３Ｗに供給することが好ましい。
【００５９】
その後、次の行の書込動作が行われるまでに、第３制御線３Ｂ及び容量素子Ｃ１の第１電極Ｅ１が高位電位線Ｌ２に接続された状態から低位電位線Ｌ１に接続された状態に遷移させる。したがって、第２信号線６Ｂ及び容量素子Ｃ１の第１電極Ｅ１は、第２電位ＶＨから第１電位ＶＬに遷移する。
【００６０】
上述の動作例は、単なる一例を提示しているに過ぎない。第１実施形態において、第１制御線３Ｗが線順次に選択されていくのに応じて、第２制御線３Ｃがどのような態様で選択されていくかは、適宜設定することができる。また、第３制御線３Ｂについても同様である。
【００６１】
また、上記第１実施形態において、データ電位ＶＤ［ｊ］のうち少なくとも１つのデータ電位において、信号線６と共通電極との電位差は、駆動期間Ｐｗにおいて、発光素子８のしきい値以下であり、駆動期間Ｐｄにおいては、発光素子８のしきい値を超えるように設定されていることが好ましい。これによれば、書込期間Ｐｗにおいて書き込むデータ電位ＶＤ［ｊ］の振り幅を基準となる電位に対し小さくすることができる。
【００６２】
したがって、書込期間Ｐｗでの消費電力を低減することができる。そして、データ電位ＶＤ［ｊ］のうち最高輝度を示すデータ電位ＶＤｋの場合には、信号線６と共通電極との電位差は、書込期間Ｐｗから駆動期間Ｐｄに亘って発光素子８のしきい値を超えるように設定されていてもよい。データ電位ＶＤ［ｊ］のうち最低輝度を示すデータ電位ＶＤ１が接地電位よりも低くてもよい。また、データ電位ＶＤ［ｊ］のうち最低輝度を示すデータ電位ＶＤ１が共通電極の電位よりも低くてもよい。
【００６３】
以上、本発明に係る第１実施形態について説明したが、本第１実施形態に係る発光装置は、上述した形態に限定されることはなく、各種の変形が可能である。
【００６４】
（変形例１）
上記第１実施形態の駆動期間Ｐｄにおいて単位回路Ｐ１内の第２トランジスターＴｒ２を非導通状態にした後、第３制御線３Ｂ及び容量素子Ｃ１の第１電極Ｅ１が高位電位線Ｌ２に接続された状態から低位電位線Ｌ１に接続された状態に遷移させた。これに限られず、第３制御線３Ｂ及び容量素子Ｃ１の第１電極Ｅ１が高位電位線Ｌ２に接続された状態から低位電位線Ｌ１に接続された状態に遷移させた後に、単位回路Ｐ１内の第２トランジスターＴｒ２を非導通状態にしてもよい。
【００６５】
このとき、電位シフト期間Ｐｓの動作と同じように、容量素子Ｃ１の第２電極Ｅ２及び信号線６の電位は、容量素子Ｃ１の容量と容量素子Ｃ１の第２電極Ｅ２又は信号線６に付随する容量とによる容量結合を利用してシフトする。このときに、発光素子８に逆バイアスが印加されるようにしてもよい。ここで、容量素子Ｃ１の第２電極Ｅ２及び信号線６の電位が共通電極の電位より低くなるように設定される。これにより、発光素子８に順バイアスを印加して発光させたときの発光素子８の特性劣化を、回復することができる。
【００６６】
（変形例２）
上記第１実施形態の図４の回路配置に代えて、図５の回路配置を採用してもよい。上記第１実施形態と異なる点は、第１シフト転送回路２１０、第１出力回路２２０、第２シフト転送回路２３０、第２出力回路２４０が画素アレイ部１００に対して一方側に配置され、第３出力回路２５０はこれらの回路と画素アレイ部１００を挟んで反対側に配置されている点である。即ち、走査側駆動回路２００は、画素アレイ部１００を挟んで両側に配置されている。ここで、画素アレイ部１００の一方側に、第１シフト転送回路２１０及び第１出力回路２２０を配置して、第２シフト転送回路２３０、第２出力回路２４０、及び第３出力回路２５０を画素アレイ部１００の他方側に配置してもよい。
【００６７】
（変形例３）
上記第１実施形態において、図２の単位回路Ｐ１を用いたが、単位回路Ｐ１に代えて図６の単位回路Ｐ２を用いてもよい。
各単位回路Ｐ２は、図６に示すように、発光素子８、容量素子Ｃ１２、第１トランジスターＴｒ１２、及び第２トランジスターＴｒ２２を有する。
【００６８】
容量素子Ｃ１２は、信号線６から供給されるデータ電位ＶＤ［ｊ］を保持する手段である。図６に示すように、容量素子Ｃ１２は、第３制御線３Ｂに接続された第１電極Ｅ１と、第１トランジスターＴｒ１２に接続された第２電極Ｅ２と、を有する。
【００６９】
第１トランジスターＴｒ１２は、第２制御線３Ｃの選択時に導通することで容量素子Ｃ１２の第２電極Ｅ２と信号線６とを導通させるスイッチング素子である。図６に示すように、第１トランジスターＴｒ１２のソース及びドレインの一方は容量素子Ｃ１２の第２電極Ｅ２に接続されるとともに、そのソース及びドレインの他方は信号線６に接続される。
【００７０】
そして、第１トランジスターＴｒ１２のゲートは第２制御線３Ｃに接続される。これにより、第２制御信号ＧＣ［ｉ］がアクティブ状態に遷移すると、第ｉ行に属する第１トランジスターＴｒ１２がオン状態となって、第２電極Ｅ２と信号線６とが導通する一方、第２制御信号ＧＣ［ｉ］が非アクティブ状態に遷移すると、第ｉ行に属する第１トランジスターＴｒ１２がオフ状態となって、第２電極Ｅ２と信号線６とは非導通状態となる。
【００７１】
第２トランジスターＴｒ２２は、第１制御線３Ｗの選択時に導通することで容量素子Ｃ１２の第２電極Ｅ２と発光素子８とを導通させるスイッチング素子である。また、上記のように、第１トランジスターＴｒ１２のソース及びドレインの一方は容量素子Ｃ１２の第２電極Ｅ２に接続されるため、第２トランジスターＴｒ２２は、第１トランジスターＴｒ１２のソース及びドレインの一方と発光素子８とを導通させるスイッチング素子と考えることもできる。図６に示すように、第２トランジスターＴｒ２２のソース及びドレインの一方は発光素子８の陽極に接続されるとともに、そのソース及びドレインの他方は容量素子Ｃ１２の第２電極Ｅ２に接続される。
【００７２】
そして、第２トランジスターＴｒ２２のゲートは第１制御線３Ｗに接続される。これにより、第１制御信号ＧＷ［ｉ］がアクティブ状態に遷移すると、第ｉ行に属する第２トランジスターＴｒ２２がオン状態となって、容量素子Ｃ１２の第２電極Ｅ２と発光素子８とが導通する一方、第１制御信号ＧＷ［ｉ］が非アクティブ状態に遷移すると第２トランジスターＴｒ２２はオフ状態となって、容量素子Ｃ１２の第２電極Ｅ２と発光素子８とは非導通状態となる。
【００７３】
また、図２及び図６において、第１トランジスターＴｒ１及び第２トランジスターＴｒ２や第１トランジスターＴｒ１２及び第２トランジスターＴｒ２２は、全てＮチャネル型であってもよいし、全てＰチャネル型であってもよいし、互いに異なるチャネル型のトランジスターで構成してもよい。
【００７４】
＜応用例＞
次に、上記第１実施形態に係る発光装置１０を適用した電子機器について説明する。
【００７５】
図７は、上記第１実施形態に係る発光装置１０を画像表示装置に利用したモバイル型のパーソナルコンピューターの構成を示す斜視図である。パーソナルコンピューター２０００は、表示装置としての発光装置１０と本体部２０１０とを備える。本体部２０１０には、電源スイッチ２００１及びキーボード２００２が設けられている。
【００７６】
図８に、上記第１実施形態に係る発光装置１０を適用した携帯電話機を示す。携帯電話機３０００は、複数の操作ボタン３００１及びスクロールボタン３００２、ならびに表示装置としての発光装置１０を備える。スクロールボタン３００２を操作することによって、発光装置１０に表示される画面がスクロールされる。
【００７７】
図９に、上記第１実施形態に係る発光装置１０を適用した情報携帯端末（ＰＤＡ：Personal Digital Assistant）を示す。情報携帯端末４０００は、複数の操作ボタン４００１及び電源スイッチ４００２、ならびに表示装置としての発光装置１０を備える。電源スイッチ４００２を操作すると、住所録やスケジュール帳といった各種の情報が発光装置１０に表示される。
【００７８】
上記第１実施形態に係る発光装置１０が適用される電子機器としては、図７から図９に示したもののほか、デジタルスチールカメラ、テレビ、ビデオカメラ、カーナビゲーション装置、ページャー、電子手帳、電子ペーパー、電卓、ワードプロセッサー、ワークステーション、テレビ電話、ＰＯＳ端末、ビデオプレーヤー、タッチパネルを備えた機器等が挙げられる。
【符号の説明】
【００７９】
１０…発光装置、Ｐ１，Ｐ２…単位回路、８…発光素子、Ｃ１…容量素子、Ｅ１…第１電極、Ｅ２…第２電極、Ｔｒ１，Ｔｒ１２…第１トランジスター、Ｔｒ２，Ｔｒ２２…第２トランジスター、１００…画素アレイ部、２００…走査側駆動回路、２１０…第１シフト転送回路、２２０…第１出力回路、２３０…第２シフト転送回路、２４０…第２出力回路、２５０…第３出力回路、２６０…制御回路、２７０…セレクター、ＶＬ…第１電位、Ｌ１…低位電位線、ＶＨ…第２電位、Ｌ２…高位電位線、３００…データ側駆動回路、ＳＳＷ［１］〜ＳＳＷ［ｎ］…サンプリングスイッチ、ＧＳ[１]〜ＧＷ[ｎ]…第４制御信号、ＶＤ[１]〜ＶＤ[ｎ]…データ電位、４００…処理回路、３…走査線、３Ｗ…第１制御線、３Ｃ…第２制御線、３Ｂ…第３制御線、ＧＷ[１]〜ＧＷ[ｍ]…第１制御信号、ＧＣ[１]〜ＧＣ[ｍ]…第２制御信号、ＧＢ[１]〜ＧＢ[ｍ]…第３制御信号、６…信号線、Ｐｗ…書込期間、Ｐｓ…電位シフト期間、Ｐｄ…駆動期間。
【図１】
2011095644.tif 000003
【図２】
2011095644.tif 000004
【図３】
2011095644.tif 000005
【図４】
2011095644.tif 000006
【図５】
2011095644.tif 000007
【図６】
2011095644.tif 000008
【図７】
2011095644.tif 000009
【図８】
2011095644.tif 000010
【図９】
2011095644.tif 000011